(57)【特許請求の範囲】
【請求項１】
印刷用紙を所定の搬送量で所定の搬送方向に搬送する印刷用紙搬送手段と、該印刷用紙搬送手段によって搬送される前記印刷用紙に印刷を実行する印刷実行手段と、該印刷実行手段より前記搬送方向下流側に配設され、前記搬送方向に搬送される前記印刷用紙を、所定の切断実行位置において前記搬送方向と直交する方向に切断可能な印刷用紙切断装置とを備えた印刷装置の印刷用紙切断制御方法であって、
前記印刷用紙の横方向切断位置、及び縦方向切断位置を演算し、
前記印刷用紙搬送手段による１回目の搬送動作において、前記横方向切断位置の切断方向が前記印刷用紙切断装置の切断方向となる向きで前記印刷用紙を搬送して前記横方向切断位置を切断し、
前記横方向切断位置を切断されて排出された前記印刷用紙を、前記印刷用紙搬送手段により搬送する２回目の搬送動作において、前記縦方向切断位置の切断方向が前記印刷用紙切断装置の切断方向となる向きで前記印刷用紙を搬送して前記縦方向切断位置を切断し、
印刷実行前の印刷データの印刷領域に基づいて前記横方向切断位置、及び前記縦方向切断位置を演算し、
前記１回目の搬送動作において、前記印刷実行手段によって前記印刷用紙に印刷を実行しつつ前記横方向切断位置を切断する、ことを特徴とした印刷用紙切断制御方法。
【請求項２】
印刷用紙を所定の搬送量で所定の搬送方向に搬送する印刷用紙搬送手段と、該印刷用紙搬送手段によって搬送される前記印刷用紙に印刷を実行する印刷実行手段と、該印刷実行手段より前記搬送方向下流側に配設され、前記搬送方向に搬送される前記印刷用紙を、所定の切断実行位置において前記搬送方向と直交する方向に切断可能な印刷用紙切断装置とを備えた印刷装置の印刷用紙切断制御方法であって、
前記印刷用紙の横方向切断位置、及び縦方向切断位置を演算し、
前記印刷用紙搬送手段による１回目の搬送動作において、前記横方向切断位置の切断方向が前記印刷用紙切断装置の切断方向となる向きで前記印刷用紙を搬送して前記横方向切断位置を切断し、
前記横方向切断位置を切断されて排出された前記印刷用紙を、前記印刷用紙搬送手段により搬送する２回目の搬送動作において、前記縦方向切断位置の切断方向が前記印刷用紙切断装置の切断方向となる向きで前記印刷用紙を搬送して前記縦方向切断位置を切断し、
印刷実行後の前記印刷用紙の印刷面に付されている切断位置目印に基づいて前記横方向切断位置、及び前記縦方向切断位置を演算する、ことを特徴とした印刷用紙切断制御方法。
【請求項３】
印刷用紙を所定の搬送量で所定の搬送方向に搬送する印刷用紙搬送手段と、該印刷用紙搬送手段によって搬送される前記印刷用紙に印刷を実行する印刷実行手段と、該印刷実行手段より前記搬送方向下流側に配設され、前記搬送方向に搬送される前記印刷用紙を、所定の切断実行位置において前記搬送方向と直交する方向に切断可能な印刷用紙切断装置と、前記印刷用紙の切断位置を演算して決定し、決定した切断位置を前記印刷用紙切断装置で切断する印刷用紙切断制御部とを備えた印刷装置であって、
前記印刷用紙切断制御部は、前記印刷用紙の横方向切断位置、及び縦方向切断位置を演算する切断位置演算手段と、
前記印刷用紙搬送手段による１回目の搬送動作において、前記横方向切断位置の切断方向が前記印刷用紙切断装置の切断方向となる向きで前記印刷用紙を搬送し、前記横方向切断位置が前記印刷用紙切断装置の切断実行位置まで搬送された時点で、前記印刷用紙を切断する印刷用紙横方向切断手段と、
該印刷用紙横方向切断手段によって切断されて排出された前記印刷用紙を前記印刷用紙搬送手段により搬送する２回目の搬送動作において、前記縦方向切断位置の切断方向が前記印刷用紙切断装置の切断方向となる向きで前記印刷用紙を搬送し、前記縦方向切断位置が前記印刷用紙切断装置の切断実行位置まで搬送された時点で、前記印刷用紙を切断する印刷用紙縦方向切断手段とを有し、
前記切断位置演算手段は、印刷実行前の印刷データの印刷領域に基づいて前記横方向切断位置、及び前記縦方向切断位置を演算し、
前記印刷用紙横方向切断手段は、前記印刷実行手段によって前記印刷用紙に印刷を実行する過程で前記印刷用紙を切断する、ことを特徴とした印刷装置。
【請求項４】
印刷用紙を所定の搬送量で所定の搬送方向に搬送する印刷用紙搬送手段と、該印刷用紙搬送手段によって搬送される前記印刷用紙に印刷を実行する印刷実行手段と、該印刷実行手段より前記搬送方向下流側に配設され、前記搬送方向に搬送される前記印刷用紙を、所定の切断実行位置において前記搬送方向と直交する方向に切断可能な印刷用紙切断装置と、前記印刷用紙の切断位置を演算して決定し、決定した切断位置を前記印刷用紙切断装置で切断する印刷用紙切断制御部とを備えた印刷装置であって、
前記印刷用紙切断制御部は、前記印刷用紙の横方向切断位置、及び縦方向切断位置を演算する切断位置演算手段と、
前記印刷用紙搬送手段による１回目の搬送動作において、前記横方向切断位置の切断方向が前記印刷用紙切断装置の切断方向となる向きで前記印刷用紙を搬送し、前記横方向切断位置が前記印刷用紙切断装置の切断実行位置まで搬送された時点で、前記印刷用紙を切断する印刷用紙横方向切断手段と、
該印刷用紙横方向切断手段によって切断されて排出された前記印刷用紙を前記印刷用紙搬送手段により搬送する２回目の搬送動作において、前記縦方向切断位置の切断方向が前記印刷用紙切断装置の切断方向となる向きで前記印刷用紙を搬送し、前記縦方向切断位置が前記印刷用紙切断装置の切断実行位置まで搬送された時点で、前記印刷用紙を切断する印刷用紙縦方向切断手段とを有し、
印刷実行後の前記印刷用紙の印刷面に付されている切断位置目印を検出可能な切断位置目印検出手段を備え、
前記切断位置演算手段は、前記切断位置目印に基づいて前記横方向切断位置、及び前記縦方向切断位置を演算する、ことを特徴とした印刷装置。
【請求項５】
請求項４において、前記印刷実行手段による印刷実行時に前記切断位置目印を前記印刷用紙に印刷する切断位置目印印刷手段を備える、ことを特徴とした印刷装置。
【請求項６】
請求項３〜５のいずれか１項において、未開封の手紙を開封する際に切断すべき位置が前記印刷用紙切断装置の切断実行位置に位置する如く、前記未開封の手紙の位置を規定する未開封手紙位置規定手段と、
該未開封手紙位置規定手段によって位置を規定された状態の前記未開封の手紙を検出する未開封手紙検出手段と、
該未開封手紙検出手段によって検出された前記未開封の手紙を前記印刷用紙切断装置によって切断して開封する未開封手紙開封手段とを備える、ことを特徴とした印刷装置。
【請求項７】
印刷用紙を所定の搬送量で所定の搬送方向に搬送する印刷用紙搬送手段と、前記印刷用紙搬送手段によって搬送される前記印刷用紙に印刷を実行する印刷実行手段と、前記印刷実行手段より前記搬送方向下流側に配設され、前記搬送方向に搬送される前記印刷用紙を、所定の切断実行位置において前記搬送方向と直交する方向に切断可能な印刷用紙切断装置とを備えた印刷装置において、前記印刷用紙の切断制御をコンピュータに実行させる印刷用紙切断制御プログラムであって、
前記印刷用紙の横方向切断位置、及び縦方向切断位置を演算する切断位置演算手順と、
前記印刷用紙搬送手段による１回目の搬送動作において、前記横方向切断位置の切断方向が前記印刷用紙切断装置の切断方向となる向きで前記印刷用紙を搬送し、前記横方向切断位置が前記印刷用紙切断装置の切断実行位置まで搬送された時点で、前記印刷用紙を切断する印刷用紙横方向切断手順と、
該印刷用紙横方向切断手順によって切断されて排出された前記印刷用紙を前記印刷用紙搬送手段により搬送する２回目の搬送動作において、前記縦方向切断位置の切断方向が前記印刷用紙切断装置の切断方向となる向きで前記印刷用紙を搬送し、前記縦方向切断位置が前記印刷用紙切断装置の切断実行位置まで搬送された時点で、前記印刷用紙を切断する印刷用紙縦方向切断手順とを有し、
前記切断位置演算手順は、印刷実行前の印刷データの印刷領域に基づいて前記横方向切断位置、及び前記縦方向切断位置を演算し、
前記印刷用紙横方向切断手順は、前記印刷実行手段によって前記印刷用紙に印刷を実行する過程で前記印刷用紙を切断する、ことを特徴とした印刷用紙切断制御プログラム。
【請求項８】
印刷用紙を所定の搬送量で所定の搬送方向に搬送する印刷用紙搬送手段と、前記印刷用紙搬送手段によって搬送される前記印刷用紙に印刷を実行する印刷実行手段と、前記印刷実行手段より前記搬送方向下流側に配設され、前記搬送方向に搬送される前記印刷用紙を、所定の切断実行位置において前記搬送方向と直交する方向に切断可能な印刷用紙切断装置とを備えた印刷装置において、前記印刷用紙の切断制御をコンピュータに実行させる印刷用紙切断制御プログラムであって、
前記印刷用紙の横方向切断位置、及び縦方向切断位置を演算する切断位置演算手順と、
前記印刷用紙搬送手段による１回目の搬送動作において、前記横方向切断位置の切断方向が前記印刷用紙切断装置の切断方向となる向きで前記印刷用紙を搬送し、前記横方向切断位置が前記印刷用紙切断装置の切断実行位置まで搬送された時点で、前記印刷用紙を切断する印刷用紙横方向切断手順と、
該印刷用紙横方向切断手順によって切断されて排出された前記印刷用紙を前記印刷用紙搬送手段により搬送する２回目の搬送動作において、前記縦方向切断位置の切断方向が前記印刷用紙切断装置の切断方向となる向きで前記印刷用紙を搬送し、前記縦方向切断位置が前記印刷用紙切断装置の切断実行位置まで搬送された時点で、前記印刷用紙を切断する印刷用紙縦方向切断手順とを有し、
前記印刷装置は、印刷実行後の前記印刷用紙の印刷面に付されている切断位置目印を検出可能な切断位置目印検出手段を備え、
前記切断位置演算手順は、前記切断位置目印に基づいて前記横方向切断位置、及び前記縦方向切断位置を演算する、ことを特徴とした印刷用紙切断制御プログラム。
【請求項９】
請求項８において、前記印刷実行手段による印刷実行時に前記切断位置目印を前記印刷用紙に印刷する切断位置目印印刷手順を備える、ことを特徴とした印刷用紙切断制御プログラム。
【発明の詳細な説明】
【０００１】
【発明の属する技術分野】
本願発明は、印刷用紙切断装置を備えた印刷装置、印刷用紙切断装置を備えた印刷装置の印刷用紙切断制御方法、及び印刷用紙切断装置を備えた印刷装置の印刷用紙切断制御プログラムに関する。
【０００２】
【従来の技術】
カッター装置等の印刷用紙切断装置を備えた従来の印刷装置は、長尺な印刷用紙がロール状に巻かれた、いわゆるロール紙を一定の搬送方向に搬送しながら印刷面に印刷を実行し、所望の長さでロール紙を搬送方向と直交する方向の切断方向で切断する印刷用紙切断装置で切断するものであった。例えば、一般的なＬ版写真サイズ幅のロール紙に印刷を実行し、印刷済みの印刷領域の終端近傍をカッター装置で切断する。それによって、Ｌ版写真サイズの写真やパノラマサイズの写真等を印刷することができる。
【０００３】
【発明が解決しようとする課題】
つまり、印刷用紙切断装置を備えた従来の印刷装置において、印刷実行後に切断されて排出される印刷物は、ロール紙の横幅と所望の長さの縦幅を有するサイズのものとなる。したがって、横幅が元のロール紙の幅に限定されてしまうので、印刷する画像データ等の印刷領域の縦幅か横幅のいずれかと同じ幅のロール紙に印刷を行わなければならなかった。そのため、印刷する画像データ等の印刷領域に適合する幅のロール紙を選択しなければならないという制約が生じてしまう。
【０００４】
また、ロール紙以外の例えば普通紙等に写真等の画像データを印刷したい場合には、定型サイズの普通紙等に印刷した後に、はさみ等の手動切断器具で切断するしかない。つまり、従来の印刷装置に搭載されている印刷用紙切断装置は、ロール紙専用の切断装置、つまりロール紙カッターでしかなく、定型サイズの印刷用紙に印刷した場合には、所望のサイズで切断することができず、印刷用紙切断装置としての機能は、ロール紙を切断することに限定されたものであった。
【０００５】
本願発明は、このような状況に鑑み成されたものであり、その課題は、定型サイズの印刷用紙に印刷して所望のサイズで切断することが可能な印刷装置を提供することにある。
【０００６】
【課題を解決するための手段】
上記課題を達成するため、本発明の第１の態様に記載の発明は、印刷用紙を所定の搬送量で所定の搬送方向に搬送する印刷用紙搬送手段と、前記印刷用紙搬送手段によって搬送される前記印刷用紙に印刷を実行する印刷実行手段と、前記印刷実行手段より前記搬送方向下流側に配設され、前記搬送方向に搬送される前記印刷用紙を、所定の切断実行位置において前記搬送方向と直交する方向に切断可能な印刷用紙切断装置とを備えた印刷装置の印刷用紙切断制御方法であって、前記印刷用紙の横方向切断位置、及び縦方向切断位置を演算し、前記印刷用紙搬送手段による１回目の搬送動作において、前記横方向切断位置の切断方向が前記印刷用紙切断装置の切断方向となる向きで前記印刷用紙を搬送して前記横方向切断位置を切断し、前記横方向切断位置を切断されて排出された前記印刷用紙を、前記印刷用紙搬送手段により搬送する２回目の搬送動作において、前記縦方向切断位置の切断方向が前記印刷用紙切断装置の切断方向となる向きで前記印刷用紙を搬送して前記縦方向切断位置を切断する、ことを特徴とした印刷用紙切断制御方法である。
【０００７】
印刷用紙の横方向切断位置、及び縦方向切断位置を演算して求めた後、まず、１回目の搬送動作において、横方向切断位置の切断方向が印刷用紙切断装置の切断方向となる向きで印刷用紙を搬送して横方向切断位置を切断する。つまり、印刷用紙切断装置によって印刷用紙の横方向切断位置を切断可能な向きで印刷用紙を搬送して横方向切断位置を切断する。すると、印刷装置からは、横方向切断位置のみが切断された印刷用紙が排出されることになる。
【０００８】
つづいて、横方向切断位置のみが切断されて排出された印刷用紙を２回目の搬送動作において、縦方向切断位置の切断方向が印刷用紙切断装置の切断方向となる向きで搬送して縦方向切断位置を切断する。つまり、印刷用紙切断装置によって印刷用紙の縦方向切断位置を切断可能な向きとなるように、横方向切断位置のみが切断されて排出された印刷用紙を、９０度回転させた状態で搬送して縦方向切断位置を切断する。すると、印刷装置からは、横方向切断位置及び縦方向切断位置で切断された印刷用紙が排出されることになる。
【０００９】
したがって、従来は、規定のロール紙に印刷を実行し、そのロール紙を所望の長さで切断することしかできなかった印刷用紙切断装置を搭載した印刷装置において、２回の搬送動作を経て印刷用紙の横方向切断位置及び縦方向切断位置を切断することで、定型サイズの印刷用紙の横方向と縦方向との両方向を、それぞれ所望の位置で切断することができる。
【００１０】
これにより、本発明の第１の態様に記載の発明に係る印刷用紙切断制御方法によれば、印刷用紙切断装置を搭載した印刷装置において、定型サイズの印刷用紙の横方向と縦方向との両方向の所望の位置を切断することができるので、定型サイズの印刷用紙に印刷して所望のサイズで切断することができるという作用効果が得られる。
【００１１】
本発明の第２の態様に記載の発明は、前述した第１の態様において、印刷実行前の印刷データの印刷領域に基づいて前記横方向切断位置、及び前記縦方向切断位置を演算し、前記１回目の搬送動作において、前記印刷実行手段によって前記印刷用紙に印刷を実行しつつ前記横方向切断位置を切断する、ことを特徴とした印刷用紙切断制御方法である。
【００１２】
このように、印刷実行前の印刷データの印刷領域に基づいて横方向切断位置、及び縦方向切断位置を演算することによって、印刷用紙の横方向切断位置及び縦方向切断位置を決定することができる。そして、印刷用紙に印刷を実行しつつ横方向切断位置を切断することによって、１回目の搬送動作で印刷用紙への印刷と横方向切断位置の切断とを行うので、２回目の搬送動作において、横方向切断位置が切断された印刷済みの印刷用紙の縦方向切断位置を切断することができる。
【００１３】
これにより、本発明の第２の態様に記載の発明に係る印刷用紙切断制御方法によれば、１回目の搬送動作で印刷用紙への印刷と横方向切断位置の切断とを行うので、２回目の搬送動作において、横方向切断位置が切断された印刷済みの印刷用紙の縦方向切断位置を切断することができ、それによって、前述した第１の態様に記載の発明による作用効果を得ることができる。
【００１４】
本発明の第３の態様に記載の発明は、前述した第１の態様において、印刷実行後の前記印刷用紙の印刷面に付されている切断位置目印に基づいて前記横方向切断位置、及び前記縦方向切断位置を演算する、ことを特徴とした印刷用紙切断制御方法である。
【００１５】
このように、印刷実行後の印刷用紙の印刷面に付されている切断位置目印に基づいて横方向切断位置及び縦方向切断位置を演算するので、印刷後の印刷用紙に対して横方向切断位置及び縦方向切断位置を決定して所望のサイズで切断することができる。また、切断位置目印が付されている印刷済みの印刷用紙ならば、他の印刷装置で印刷された印刷用紙であっても横方向切断位置及び縦方向切断位置を決定して所望のサイズで切断することができる。
【００１６】
これにより、本発明の第３の態様に記載の発明に係る印刷用紙切断制御方法によれば、印刷実行後の印刷用紙の印刷面に付されている切断位置目印に基づいて横方向切断位置及び縦方向切断位置を演算することで、印刷用紙の横方向切断位置及び縦方向切断位置を決定することができ、それによって、前述した第１の態様に記載の発明による作用効果を得ることができる。また、印刷後の印刷用紙を後から切断したり、他の印刷装置で印刷した印刷用紙を切断したりすることができるという作用効果が得られる。
【００１７】
本発明の第４の態様に記載の発明は、印刷用紙を所定の搬送量で所定の搬送方向に搬送する印刷用紙搬送手段と、前記印刷用紙搬送手段によって搬送される前記印刷用紙に印刷を実行する印刷実行手段と、前記印刷実行手段より前記搬送方向下流側に配設され、前記搬送方向に搬送される前記印刷用紙を、所定の切断実行位置において前記搬送方向と直交する方向に切断可能な印刷用紙切断装置と、前記印刷用紙の切断位置を演算して決定し、決定した切断位置を前記印刷用紙切断装置で切断する印刷用紙切断制御部とを備えた印刷装置であって、前記印刷用紙切断制御部は、前記印刷用紙の横方向切断位置、及び縦方向切断位置を演算する切断位置演算手段と、前記印刷用紙搬送手段による１回目の搬送動作において、前記横方向切断位置の切断方向が前記印刷用紙切断装置の切断方向となる向きで前記印刷用紙を搬送し、前記横方向切断位置が前記印刷用紙切断装置の切断実行位置まで搬送された時点で、前記印刷用紙を切断する印刷用紙横方向切断手段と、該印刷用紙横方向切断手段によって切断されて排出された前記印刷用紙を前記印刷用紙搬送手段により搬送する２回目の搬送動作において、前記縦方向切断位置の切断方向が前記印刷用紙切断装置の切断方向となる向きで前記印刷用紙を搬送し、前記縦方向切断位置が前記印刷用紙切断装置の切断実行位置まで搬送された時点で、前記印刷用紙を切断する印刷用紙縦方向切断手段とを有する、ことを特徴とした印刷装置である。
本発明の第４の態様に記載の発明に係る印刷装置によれば、印刷装置において、前述した第１の態様に記載の発明と同様の作用効果を得ることができる。
【００１８】
本発明の第５の態様に記載の発明は、前述した第４の態様において、前記切断位置演算手段は、印刷実行前の印刷データの印刷領域に基づいて前記横方向切断位置、及び前記縦方向切断位置を演算し、前記印刷用紙横方向切断手段は、前記印刷実行手段によって前記印刷用紙に印刷を実行する過程で前記印刷用紙を切断する、ことを特徴とした印刷装置である。
本発明の第５の態様に記載の発明に係る印刷装置によれば、印刷装置において、前述した第２の態様に記載の発明と同様の作用効果を得ることができる。
【００１９】
本発明の第６の態様に記載の発明は、前述した第４の態様において、印刷実行後の前記印刷用紙の印刷面に付されている切断位置目印を検出可能な切断位置目印検出手段を備え、前記切断位置演算手段は、前記切断位置目印に基づいて前記横方向切断位置、及び前記縦方向切断位置を演算する、ことを特徴とした印刷装置である。
本発明の第６の態様に記載の発明に係る印刷装置によれば、印刷装置において、前述した第３の態様に記載の発明と同様の作用効果を得ることができる。
【００２０】
本発明の第７の態様に記載の発明は、前述した第６の態様において、前記印刷実行手段による印刷実行時に前記切断位置目印を前記印刷用紙に印刷する切断位置目印印刷手段を備える、ことを特徴とした印刷装置である。
【００２１】
本発明の第７の態様に記載の発明に係る印刷装置によれば、前述した第６の態様に記載の発明による作用効果に加えて、印刷実行時に切断位置目印を印刷用紙に印刷することができるので、印刷実行時に切断位置目印を印刷しておけば、印刷済みの印刷用紙を後から切断することも、そのまま切断しないでおくこともできるという作用効果を得ることができる。
【００２２】
本発明の第８の態様に記載の発明は、前述した第４〜第７の態様のいずれかにおいて、未開封の手紙を開封する際に切断すべき位置が前記印刷用紙切断装置の切断実行位置に位置する如く、前記未開封の手紙の位置を規定する未開封手紙位置規定手段と、該未開封手紙位置規定手段によって位置を規定された状態の前記未開封の手紙を検出する未開封手紙検出手段と、該未開封手紙検出手段によって検出された前記未開封の手紙を前記印刷用紙切断装置によって切断して開封する未開封手紙開封手段とを備える、ことを特徴とした印刷装置である。
【００２３】
本発明の第８の態様に記載の発明に係る印刷装置によれば、前述した第４〜第７の態様のいずれかに記載の発明による作用効果に加えて、印刷装置で未開封の手紙を開封することができるという作用効果が得られる。
【００２４】
本発明の第９の態様に記載の発明は、印刷用紙を所定の搬送量で所定の搬送方向に搬送する印刷用紙搬送手段と、前記印刷用紙搬送手段によって搬送される前記印刷用紙に印刷を実行する印刷実行手段と、前記印刷実行手段より前記搬送方向下流側に配設され、前記搬送方向に搬送される前記印刷用紙を、所定の切断実行位置において前記搬送方向と直交する方向に切断可能な印刷用紙切断装置とを備えた印刷装置において、前記印刷用紙の切断制御をコンピュータに実行させる印刷用紙切断制御プログラムであって、前記印刷用紙の横方向切断位置、及び縦方向切断位置を演算する切断位置演算手順と、前記印刷用紙搬送手段による１回目の搬送動作において、前記横方向切断位置の切断方向が前記印刷用紙切断装置の切断方向となる向きで前記印刷用紙を搬送し、前記横方向切断位置が前記印刷用紙切断装置の切断実行位置まで搬送された時点で、前記印刷用紙を切断する印刷用紙横方向切断手順と、該印刷用紙横方向切断手順によって切断されて排出された前記印刷用紙を前記印刷用紙搬送手段により搬送する２回目の搬送動作において、前記縦方向切断位置の切断方向が前記印刷用紙切断装置の切断方向となる向きで前記印刷用紙を搬送し、前記縦方向切断位置が前記印刷用紙切断装置の切断実行位置まで搬送された時点で、前記印刷用紙を切断する印刷用紙縦方向切断手順とを有する、ことを特徴とした印刷用紙切断制御プログラムである。
【００２５】
本発明の第９の態様に記載の発明に係る印刷用紙切断制御プログラムによれば、前述した第１の態様に記載の発明と同様の作用効果を得ることができるとともに、この印刷用紙切断制御プログラムを実行することができる任意の印刷装置に、前述した第１の態様に記載の発明と同様の作用効果をもたらすことができる。
【００２６】
本発明の第１０の態様に記載の発明は、前述した第９の態様において、前記切断位置演算手順は、印刷実行前の印刷データの印刷領域に基づいて前記横方向切断位置、及び前記縦方向切断位置を演算し、前記印刷用紙横方向切断手順は、前記印刷実行手段によって前記印刷用紙に印刷を実行する過程で前記印刷用紙を切断する、ことを特徴とした印刷用紙切断制御プログラムである。
【００２７】
本発明の第１０の態様に記載の発明に係る印刷用紙切断制御プログラムによれば、前述した第２の態様に記載の発明と同様の作用効果を得ることができるとともに、この印刷用紙切断制御プログラムを実行することができる任意の印刷装置に、前述した第２の態様に記載の発明と同様の作用効果をもたらすことができる。
【００２８】
本発明の第１１の態様に記載の発明は、前述した第９の態様において、前記印刷装置は、印刷実行後の前記印刷用紙の印刷面に付されている切断位置目印を検出可能な切断位置目印検出手段を備え、前記切断位置演算手順は、前記切断位置目印に基づいて前記横方向切断位置、及び前記縦方向切断位置を演算する、ことを特徴とした印刷用紙切断制御プログラムである。
【００２９】
本発明の第１１の態様に記載の発明に係る印刷用紙切断制御プログラムによれば、前述した第３の態様に記載の発明と同様の作用効果を得ることができるとともに、この印刷用紙切断制御プログラムを実行することができる任意の印刷装置に、前述した第３の態様に記載の発明と同様の作用効果をもたらすことができる。
【００３０】
本発明の第１２の態様に記載の発明は、前述した第１１の態様において、前記印刷実行手段による印刷実行時に前記切断位置目印を前記印刷用紙に印刷する切断位置目印印刷手順を備える、ことを特徴とした印刷用紙切断制御プログラムである。
【００３１】
本発明の第１２の態様に記載の発明に係る印刷用紙切断制御プログラムによれば、前述した第７の態様に記載の発明と同様の作用効果を得ることができるとともに、この印刷用紙切断制御プログラムを実行することができる任意の印刷装置に、前述した第７の態様に記載の発明と同様の作用効果をもたらすことができる。
【００３２】
【発明の実施の形態】
以下、本願発明の一実施の形態を図面に基づいて説明する。
まず、本願発明に係る「印刷装置」としてのインクジェット式印刷装置の概略構成について説明する。図１は、インクジェット式印刷装置の一実施の形態を示した要部平面図であり、図２は、その要部側面図である。
【００３３】
インクジェット式印刷装置５０には、定型サイズの普通紙やフォト専用紙等の定型サイズの印刷用紙、及びロール紙ＲＰ等の被記録材の印刷面にインクを吐出して印刷を実行する「印刷実行手段」として、キャリッジガイド軸５１に軸支され、主走査方向Ｘに移動するキャリッジ６１が設けられている。キャリッジ６１には、被記録材にインクを吐出する印刷ヘッド６２が搭載されている。印刷ヘッド６２と対向して、印刷ヘッド６２のヘッド面と被記録材の記録面との間隔を規定するプラテン５２が設けられている。そして、キャリッジ６１を主走査方向Ｘに搬送し、キャリッジ６１とプラテン５２の間に被記録材を副走査方向Ｙに搬送しながら、印刷ヘッド６２のヘッド面から被記録材にインクを吐出することで被記録材に印刷が行われる。
【００３４】
また、インクジェット式印刷装置５０には、被記録材を給紙可能な構成を有する自動給紙装置が設けられている。自動給紙装置は、給紙トレイ５７に設けられた２つの給紙ローラ５７ｂ及び図示してない分離パッドを有しており、給紙ローラ５７ｂは、ステッピングモータ等の回転駆動力源により回転制御される。２つの給紙ローラ５７ｂの１つは、給紙トレイ５７の一方側に配置され、もう１つの給紙ローラ５７ｂは、用紙ガイド５７ａに取り付けられており、用紙ガイド５７ａは、被記録材の幅に合わせて摺動可能に給紙トレイ５７に設けられている。そして、２つの給紙ローラ５７ｂの回転駆動力と、分離パッドの摩擦抵抗により、給紙トレイ５７に置かれた複数の印刷用紙を給紙する際に、複数の印刷用紙が一度に給紙されることなく１枚ずつ正確に自動給紙される。また、給紙トレイ５７の後方には、ロール紙ホルダ５９が設けられている。ロール紙ホルダ５９は、給紙トレイ５７に着脱可能な構成を成しており、ロール紙ＲＰを回転可能に軸支するものであり、ロール紙ＲＰは、図示の如く給紙トレイ５７を経由して給紙される。
【００３５】
さらに、インクジェット式印刷装置５０には、給紙された被記録材を副走査方向Ｙに間欠的に搬送する「印刷用紙搬送手段」として、搬送駆動ローラ５３と搬送従動ローラ５４が設けられている。搬送駆動ローラ５３は、回転駆動力源により回転制御され、搬送駆動ローラ５３の回転により、被記録材は副走査方向Ｙに搬送される。搬送従動ローラ５４は複数設けられており、それぞれ個々に搬送駆動ローラ５３に付勢され、被記録材が搬送駆動ローラ５３の回転により搬送される際に、被記録材に接して被記録材の搬送に従動して回転する。
【００３６】
また、給紙ローラ５７ｂと搬送駆動ローラ５３との間には、従来技術において公知の技術による紙検出器６３が配設されている。紙検出器６３は、立位姿勢への自己復帰習性が付与され、かつ被記録材の搬送方向にのみ回動し得るよう被記録材の搬送経路内に突出する状態で枢支されたレバーを有し、このレバーの先端が被記録材に押されることでレバーが回動し、それによって被記録材が検出される構成を成す検出器である。
【００３７】
さらに、インクジェット式印刷装置５０には、印刷された被記録材を排紙する手段として、排紙駆動ローラ５５と排紙従動ローラ５６が設けられている。排紙駆動ローラ５５は、回転駆動力源により回転制御され、排紙駆動ローラ５５の回転により、被記録材は副走査方向Ｙに排紙される。排紙従動ローラ５６は、周囲に複数の歯を有し、各歯の先端が被記録材の印刷面に点接触するように鋭角的に尖っている歯付きローラとなっている。排紙従動ローラ５６は、それぞれ個々に排紙駆動ローラ５５に、搬送従動ローラ５４の付勢力よりも弱い付勢力で付勢され、被記録材が排紙駆動ローラ５５の回転により排紙される際に、被記録材に接して被記録材の排紙に従動して回転し、被記録材が排出される。
【００３８】
さらに、インクジェット式印刷装置５０には、排紙駆動ローラ５５及び排紙従動ローラ５６の副走査方向Ｙの下流側に「印刷用紙切断装置」としてのカッター装置５８が配設されている。カッター装置５８は、当該実施例においては、鋭利な刃でロール紙を符号Ｚで示した矢印の方向に上下から挟み切るものであるが、例えばロータリーカッター等、他の切断装置でも本願発明の実施は可能である。また、インクジェット式印刷装置５０は、制御部１を備えている。制御部１は、図示していないＣＰＵ（中央演算処理ユニット）、及びＲＯＭ、ＲＡＭ等のＣＰＵ周辺ユニットを有しており、印刷実行制御手順以外に本願発明に係る印刷用紙切断制御手順等のインクジェット式印刷装置５０の制御プログラムを実行して、インクジェット式印刷装置５０を制御する「印刷用紙切断制御部」としての機能を有している。
【００３９】
次に、本願発明に係るインクジェット式印刷装置５０の印刷用紙切断制御手順について説明する。図３は、本願発明に係る印刷用紙切断制御手順の概略を示したフローチャートである。
【００４０】
１回目の搬送動作において、横方向切断位置及び縦方向切断位置を演算し（切断位置演算手順）、印刷用紙Ｐへ印刷しつつ横方向切断位置を切断する（印刷用紙横方向切断手順）。
【００４１】
まず、定型サイズの印刷用紙を給紙トレイ５７へセットした後（ステップＳ１）、印刷用紙に印刷する印刷データがあるか判定する（ステップＳ２）。印刷データがなければ印刷データが来るまで待機状態となり（ステップＳ２でＮｏ）、印刷データがあれば（ステップＳ２でＹｅｓ）、自動給紙装置によって印刷用紙を給紙し（ステップＳ３）、「印刷用紙搬送手段」によって搬送しながら「印刷実行手段」によって印刷を実行する（ステップＳ４）。つづいて、印刷データから演算した横方向切断位置がカッター装置５８の切断実行位置まで搬送されたかを判定する（ステップＳ５）。横方向切断位置がカッター装置５８の切断実行位置まで搬送されていなければ（ステップＳ５でＮｏ）、ひきつづき印刷を実行し（ステップＳ４）、横方向切断位置がカッター装置５８の切断実行位置まで搬送された時点で（ステップＳ５でＹｅｓ）、印刷用紙の横方向切断位置をカッター装置５８で切断する。
【００４２】
つづいて、印刷用紙に印刷する印刷データがあるか、つまり印刷実行中かを判定し（ステップＳ７）、印刷データがあれば（ステップＳ７でＹｅｓ）、ひきつづき印刷を実行し（ステップＳ４）、印刷データがなければ、つまり印刷が終了していれば（ステップＳ７でＮｏ）、切断していない横方向切断位置があるかを判定する（ステップＳ８）。切断していない横方向切断位置があれば（ステップＳ８でＹｅｓ）、横方向切断位置がカッター装置５８の切断実行位置に到達するまで印刷用紙を搬送し（ステップＳ９）、残りの横方向切断位置を切断する（ステップＳ４）。そして、切断していない横方向切断位置がなければ（ステップＳ８でＮｏ）、印刷用紙を排出して１回目の搬送動作を終了する（ステップＳ１０）。
【００４３】
つづいて、印刷面に印刷されて横方向切断位置を切断された状態で排出された印刷用紙を９０度回転させた搬送方向で、つまり、印刷データから演算した縦方向切断位置をカッター装置５８で切断可能な搬送方向で、２回目の搬送動作を実行して縦方向切断位置を切断する（印刷用紙縦方向切断手順）。
【００４４】
まず、印刷面に印刷されて横方向切断位置を切断された状態で排出された印刷用紙を、９０度回転させた搬送方向で給紙トレイ５７へセットする（ステップＳ１１）。次に、切断位置指定があるか、つまり、印刷データから演算した縦方向切断位置を指定するデータがあるかを判定する（ステップＳ１２）。縦方向切断位置を指定するデータがなければ待機状態となり（ステップＳ１２でＮｏ）、縦方向切断位置を指定するデータがあれば（ステップＳ１２でＹｅｓ）、自動給紙装置によって印刷用紙を給紙する（ステップＳ１３）。つづいて、印刷データから演算した縦方向切断位置がカッター装置５８の切断実行位置に到達するまで「印刷用紙搬送手段」によって印刷用紙を搬送し（ステップＳ１４）、縦方向切断位置を切断する（ステップＳ１５）。
【００４５】
つづいて、切断していない縦方向切断位置があるかを判定する（ステップＳ１６）。切断していない縦方向切断位置があれば（ステップＳ１６でＹｅｓ）、縦方向切断位置がカッター装置５８の切断実行位置に到達するまで印刷用紙を搬送し（ステップＳ１４）、残りの縦方向切断位置を切断する（ステップＳ１５）。そして、切断していない縦方向切断位置がなければ（ステップＳ１６でＮｏ）、印刷用紙を排出して２回目の搬送動作を終了する（ステップＳ１７）。
【００４６】
図４〜図１７は、本願発明に係るインクジェット式印刷装置５０の要部平面図であり、上述した印刷用紙切断制御手順によって印刷用紙に印刷して切断する流れを示したものである。また、図４〜図１２までは、前述の１回目の搬送動作、図１３〜図１７までは、前述の２回目の搬送動作をそれぞれ示したものであり、つづいて、図４〜図１２と図３に示したフローチャートも参照しながら１回目の搬送動作について、さらに詳細に説明する。
【００４７】
図４は、本願発明に係るインクジェット式印刷装置５０の要部平面図であり、給紙トレイ５７にセットされた印刷用紙Ｐが給紙された状態を示したものである。給紙トレイ５７に印刷用紙Ｐがセットされ（図３のステップＳ１）、インクジェット式印刷装置５０の上位システムとしてのパーソナル・コンピュータ（図示せず）から印刷データが送信され（図３のステップＳ２）、印刷用紙Ｐが自動給紙装置によって給紙される（図３のステップＳ３）。
【００４８】
図５は、本願発明に係るインクジェット式印刷装置５０の要部平面図であり、印刷用紙Ｐに印刷し始めた状態を示したものである。印刷用紙Ｐは、搬送駆動ローラ５３及び搬送従動ローラ５４で副走査方向Ｙへ搬送されながら、主走査方向Ｘに往復動するキャリッジ６１に搭載された印刷ヘッド６２からインクが吐出されて、印刷用紙Ｐへ印刷が実行される（図３のステップＳ４）。尚、印刷用紙Ｐの斜線部分は、インクを吐出された印刷領域であり、以下同様とする。
【００４９】
図６は、本願発明に係るインクジェット式印刷装置５０の要部平面図であり、最初の横方向切断位置がカッター装置５８の切断実行位置に到達した状態を示したものである。印刷用紙Ｐを搬送する搬送駆動ローラ５３を駆動回転させる回転駆動力源としてのステッピングモータの制御ステップ数から印刷用紙Ｐの搬送位置を演算し、横方向切断位置がカッター装置５８の切断実行位置に到達した時点で（図３のステップＳ５でＹｅｓ）、印刷用紙Ｐの横方向切断位置がカッター装置５８で切断される（図３のステップＳ６）。
【００５０】
図７は、本願発明に係るインクジェット式印刷装置５０の要部平面図であり、最初の横方向切断位置が切断された後、さらに印刷が行われている状態を示したものである。最初の横方向切断位置がカッター装置５８で切断され（図３のステップＳ６）、印刷用紙Ｐから切断片Ｐａが分断される。そして、印刷用紙Ｐに印刷する印刷データがあれば（図３のステップＳ７でＹｅｓ）、ひきつづき印刷用紙Ｐに印刷が実行される（図３のステップＳ４）。
【００５１】
図８は、本願発明に係るインクジェット式印刷装置５０の要部平面図であり、２つ目の横方向切断位置がカッター装置５８の切断実行位置に到達した状態を示したものであり、図９は、２つ目の横方向切断位置が切断された状態を示したものである。最初の横方向切断位置が切断された後、印刷用紙Ｐに印刷する印刷データがあれば（図３のステップＳ７でＹｅｓ）、ひきつづき印刷が実行される（図３のステップＳ４）。そして、２つ目の横方向切断位置がカッター装置５８の切断実行位置に到達した時点で（図３のステップＳ５でＹｅｓ）、印刷用紙Ｐの２つ目の横方向切断位置がカッター装置５８で切断され（図３のステップＳ６）、印刷用紙Ｐは、印刷用紙Ｐ１と印刷用紙Ｐ２とに分断されて印刷用紙Ｐ１が排出される。
【００５２】
図１０は、本願発明に係るインクジェット式印刷装置５０の要部平面図であり、３つ目の横方向切断位置がカッター装置５８の切断実行位置に到達して切断された状態を示したものである。２つ目の横方向切断位置が切断された後、印刷用紙Ｐ２に印刷する印刷データがあれば（図３のステップＳ７でＹｅｓ）、ひきつづき印刷が実行され（図３のステップＳ４）、３つ目の横方向切断位置がカッター装置５８の切断実行位置に到達した時点で（図３のステップＳ５でＹｅｓ）、印刷用紙Ｐ２の３つ目の横方向切断位置がカッター装置５８で切断され（図３のステップＳ６）、印刷用紙Ｐ２から切断片Ｐａが分断される。そして、印刷用紙Ｐ２に印刷する印刷データがあれば（図３のステップＳ７でＹｅｓ）、ひきつづき印刷用紙Ｐ２に印刷が実行される（図３のステップＳ４）。
【００５３】
図１１は、本願発明に係るインクジェット式印刷装置５０の要部平面図であり、印刷が終わって最後の横方向切断位置がカッター装置５８の切断実行位置に到達した状態を示したものであり、図１２は、最後の横方向切断位置が切断された状態を示したものである。印刷用紙Ｐ２への印刷が終了した時点で（ステップＳ７でＮｏ）、切断していない横方向切断位置があるかが判定される（ステップＳ８）。この時点で、最後の横方向切断位置がまだ切断されていないので（ステップＳ８でＹｅｓ）、最後の横方向切断位置がカッター装置５８の切断実行位置に到達するまで印刷用紙Ｐ２が搬送され（ステップＳ９）、最後の横方向切断位置が切断されて印刷用紙Ｐ２から切断片Ｐａが分断される（ステップＳ４）。そして、最後の横方向切断位置が切断され、切断していない横方向切断位置がなくなったので（ステップＳ８でＮｏ）、印刷用紙Ｐ２が排出されて１回目の搬送動作を終了する（ステップＳ１０）。
【００５４】
つづいて、図１３〜図１７と図３に示したフローチャートも参照しながら前述した２回目の搬送動作について、さらに詳細に説明する。
【００５５】
図１３は、本願発明に係るインクジェット式印刷装置５０の要部平面図であり、横方向切断位置が切断された印刷用紙Ｐ１が給紙されて、最初の縦方向切断位置がカッター装置５８の切断実行位置に到達した状態を示したものである。１回目の搬送動作において、印刷面への印刷と横方向切断位置の切断とが行われて分断された印刷用紙Ｐ１及び印刷用紙Ｐ２の縦方向切断位置が２回目の搬送動作で切断される。まず、印刷面に印刷されて横方向切断位置を切断された状態で排出された印刷用紙Ｐ１を、９０度回転させた搬送方向で給紙トレイ５７にセットされ（図３のステップＳ１１）、１回目の搬送動作において印刷データから演算した縦方向切断位置があるので（図３のステップＳ１２でＹｅｓ）、印刷用紙Ｐ１が自動給紙装置によって給紙される（図３のステップＳ１３）。給紙された印刷用紙Ｐ１は、最初の縦方向切断位置がカッター装置５８の切断実行位置に到達するまで、搬送駆動ローラ５３及び搬送従動ローラ５４で副走査方向Ｙへ搬送される（図３のステップＳ１４）。
【００５６】
図１４は、本願発明に係るインクジェット式印刷装置５０の要部平面図であり、最初の縦方向切断位置が切断された後、２つ目の縦方向切断位置がカッター装置５８の切断実行位置まで搬送された状態を示したものである。印刷用紙Ｐ１の最初の縦方向切断位置がカッター装置５８で切断され（図３のステップＳ１５）、印刷用紙Ｐ１から切断片Ｐａが分断された後、印刷用紙Ｐ１は、未切断の縦方向切断位置が残っているので（図３のステップＳ１６でＹｅｓ）、２つ目の縦方向切断位置がカッター装置５８の切断実行位置に到達するまで搬送される（図３のステップＳ１４）。
【００５７】
図１５は、本願発明に係るインクジェット式印刷装置５０の要部平面図であり、２つ目の縦方向切断位置が切断された後、３つ目の縦方向切断位置がカッター装置５８の切断実行位置まで搬送された状態を示したものである。印刷用紙Ｐ１の２つ目の縦方向切断位置がカッター装置５８で切断され（図３のステップＳ１５）、印刷用紙Ｐ１が印刷用紙Ｐ１１と印刷用紙Ｐ１２とに分断された後、印刷用紙Ｐ１１が排出される。そして、印刷用紙Ｐ１２は、未切断の縦方向切断位置が残っているので（図３のステップＳ１６でＹｅｓ）、３つ目の縦方向切断位置がカッター装置５８の切断実行位置に到達するまで搬送される（図３のステップＳ１４）。
【００５８】
図１６は、本願発明に係るインクジェット式印刷装置５０の要部平面図であり、３つ目の縦方向切断位置が切断された後、最後の縦方向切断位置がカッター装置５８の切断実行位置まで搬送された状態を示したものである。印刷用紙Ｐ１２の３つ目の縦方向切断位置がカッター装置５８で切断され（図３のステップＳ１５）、印刷用紙Ｐ１２から切断片Ｐａが分断される。そして、印刷用紙Ｐ１２は、未切断の縦方向切断位置が残っているので（図３のステップＳ１６でＹｅｓ）、最後の縦方向切断位置がカッター装置５８の切断実行位置に到達するまで搬送される（図３のステップＳ１４）。
【００５９】
図１７は、本願発明に係るインクジェット式印刷装置５０の要部平面図であり、最後の縦方向切断位置が切断された状態を示したものである。印刷用紙Ｐ１２の最後の縦方向切断位置がカッター装置５８で切断され（図３のステップＳ１５）、印刷用紙Ｐ１２から切断片Ｐａが分断される。そして、未切断の縦方向切断位置が残っていないので（図３のステップＳ１６でＮｏ）、印刷用紙Ｐ１２が排出されて２回目の搬送動作を終了する（ステップＳ１７）。また、印刷用紙Ｐ２も同様の手順で縦方向切断位置が切断され、最終的に印刷用紙Ｐに印刷された４つの印刷は、所定のサイズで四辺を切断されて４つの印刷物として排出されることになる。
【００６０】
このようにして、定型サイズの印刷用紙Ｐの横方向と縦方向との両方向を、それぞれ所望の位置で切断することができるので、定型サイズの印刷用紙Ｐに印刷して所望のサイズで切断することができる。尚、当該実施の形態においては、印刷用紙Ｐに４つの印刷を行って切断しているが、同じサイズの印刷ならば幾つであっても良く、異なるサイズの印刷を１枚の印刷用紙Ｐに印刷しても一直線に切断可能に配置して印刷すれば本願発明の実施は可能である。また、当該実施の形態においては、図３に示したフローチャートによる印刷用紙切断制御は、制御部１で実行するソフトウェアプログラムとして構成されているが、例えば、インクジェット式印刷装置５０の上位システムとしてのパーソナル・コンピュータで実行するソフトウェアプログラムとして構成しても良い。
【００６１】
また、他の実施の形態としては、あらかじめ印刷済みの印刷用紙Ｐに対して切断位置を決定して切断するものが挙げられる。
【００６２】
図１８は、本願発明に係る印刷用紙切断制御手順の他の実施の形態を示した概略のフローチャートである。また、図１９は、本願発明に係るインクジェット式印刷装置５０の他の実施の形態を示した要部平面図であり、図２０は、その要部側面図である。
【００６３】
当該実施の形態においては、あらかじめ印刷が実行済みの印刷用紙Ｐの印刷面に付されている「切断位置目印」に基づいて横方向切断位置、及び縦方向切断位置を演算する。当該実施の形態における「切断位置目印」は、いわゆるトンボと呼ばれる十字線の目印となっている。また、インクジェット式印刷装置５０は、このトンボＭを検出可能な「切断位置目印検出手段」としてのセンサ６４が、キャリッジ６１の印刷ヘッド６２より副走査方向Ｙの上流側に配設されている。センサ６４は、トンボＭの位置検出専用であっても良く、例えば印刷用紙Ｐの幅を検出する紙幅センサを搭載したインクジェット式印刷装置５０であれば、その紙幅センサと共用であっても良い。そして、インクジェット式印刷装置５０は、印刷実行時にトンボＭを同時に印刷する「切断位置目印印刷手段」を備えている。
【００６４】
図１８のフローチャートに示した印刷用紙切断制御手順について説明する。１回目の搬送動作において、トンボＭを検出して横方向切断位置及び縦方向切断位置を演算し（切断位置演算手順）、横方向切断位置を切断する（印刷用紙横方向切断手順）。
【００６５】
まず、印刷済みの印刷用紙Ｐを給紙トレイ５７へセットした後、操作ボタンＳを押下すると（ステップＳ２１）、印刷用紙Ｐが給紙されて１回目の搬送動作が実行される（ステップＳ２２）。次に、搬送駆動ローラ５３及び搬送従動ローラ５４で印刷用紙Ｐを搬送しながら、センサ６４で印刷面に付されているトンボＭを検出する（ステップＳ２３）。つづいて、センサ６４で検出したトンボＭの位置に基づいて横方向切断位置及び縦方向切断位置を演算して決定する（ステップＳ２４）。つづいて、横方向切断位置がカッター装置５８の切断実行位置に到達するまで印刷用紙Ｐを搬送し（ステップＳ２５）、横方向切断位置を切断する（ステップＳ２６）。つづいて、未切断の横方向切断位置があれば（ステップＳ２７でＹｅｓ）、未切断の横方向切断位置を切断し（ステップＳ２５）、切断していない横方向切断位置がなければ（ステップＳ２７でＮｏ）、印刷用紙Ｐを排出して１回目の搬送動作を終了する（ステップＳ２８）。そして、横方向切断位置を切断されて排出された印刷用紙Ｐの縦方向切断位置を、図３に示した２回目の搬送動作のフローチャートに示した手順で同様に切断する。また、図１８に示した印刷用紙切断手順は、トンボＭを検出して横方向切断位置及び縦方向切断位置を演算しながら横方向切断位置を切断する手順としても良い。
【００６６】
尚、「切断位置目印」としてのトンボは、印刷用紙Ｐへの印刷時に「切断位置目印印刷手段」によって印刷しても後からペン等で書き加えても良く、他の印刷装置で印刷してももちろん良い。また、「切断位置目印」は、トンボに限定されるものではなく、本願発明に係る横方向切断位置及び縦方向切断位置を演算して決定可能な目印であれば、どのような目印であっても良い。
【００６７】
さらに、他の実施の形態としては、上記実施の形態に示したインクジェット式印刷装置における「未開封手紙開封手段」として、いわゆるレターオープナーとしての機能を付加したものが挙げられる。
【００６８】
上記実施例に示したインクジェット式印刷装置５０に加えて、未開封の手紙を開封する際に切断すべき位置、つまり未開封の手紙の端部から数ｍｍ程度の内側の位置が、カッター装置５８の切断実行位置に位置するように、その未開封の手紙の位置を規定する「未開封手紙位置規定手段」としての位置規制部等を設ける。また、位置規定部等によって位置を規定された未開封の手紙の有無を検出する「未開封手紙検出手段」としてのセンサ等を配設する。そして、検出された未開封の手紙をカッター装置５８で切断して開封する。未開封の手紙は、印刷用紙Ｐの排出側から手で挿入する。また、多数の未開封の手紙を給紙トレイ５７から自動給紙装置によって給紙して切断するように構成しても良い。
【００６９】
尚、本願発明は上記実施例に限定されることなく、特許請求の範囲に記載した発明の範囲内で、種々の変形が可能であり、それらも本願発明の範囲内に含まれるものであることは言うまでもない。
【００７０】
【発明の効果】
本願発明によれば、定型サイズの印刷用紙に印刷して所望のサイズで切断することが可能な印刷装置を提供することができる。
【図面の簡単な説明】
【図１】本願発明に係る「印刷装置」としてのインクジェット式印刷装置の一実施の形態を示した要部平面図である。
【図２】本願発明に係る「印刷装置」としてのインクジェット式印刷装置の一実施の形態を示した要部側面図である。
【図３】本願発明に係る印刷用紙切断制御手順の概略を示したフローチャートである。
【図４】本願発明に係るインクジェット式印刷装置の要部平面図であり、給紙トレイにセットされた印刷用紙が給紙された状態を示したものである。
【図５】本願発明に係るインクジェット式印刷装置の要部平面図であり、印刷用紙に印刷し始めた状態を示したものである。
【図６】本願発明に係るインクジェット式印刷装置の要部平面図であり、最初の横方向切断位置がカッター装置の切断実行位置に到達した状態を示したものである。
【図７】本願発明に係るインクジェット式印刷装置の要部平面図であり、最初の横方向切断位置が切断された後、さらに印刷が行われている状態を示したものである。
【図８】本願発明に係るインクジェット式印刷装置の要部平面図であり、２つ目の横方向切断位置がカッター装置の切断実行位置に到達した状態を示したものである。
【図９】本願発明に係るインクジェット式印刷装置の要部平面図であり、２つ目の横方向切断位置が切断された状態を示したものである。
【図１０】本願発明に係るインクジェット式印刷装置の要部平面図であり、３つ目の横方向切断位置がカッター装置の切断実行位置に到達して切断された状態を示したものである。
【図１１】本願発明に係るインクジェット式印刷装置の要部平面図であり、印刷が終わって最後の横方向切断位置がカッター装置の切断実行位置に到達した状態を示したものである。
【図１２】本願発明に係るインクジェット式印刷装置の要部平面図であり、最後の横方向切断位置が切断された状態を示したものである。
【図１３】本願発明に係るインクジェット式印刷装置の要部平面図であり、横方向切断位置が切断された印刷用紙が給紙されて、最初の縦方向切断位置がカッター装置の切断実行位置に到達した状態を示したものである。
【図１４】本願発明に係るインクジェット式印刷装置の要部平面図であり、最初の縦方向切断位置が切断された後、２つ目の縦方向切断位置がカッター装置の切断実行位置まで搬送された状態を示したものである。
【図１５】本願発明に係るインクジェット式印刷装置の要部平面図であり、２つ目の縦方向切断位置が切断された後、３つ目の縦方向切断位置がカッター装置の切断実行位置まで搬送された状態を示したものである。
【図１６】本願発明に係るインクジェット式印刷装置の要部平面図であり、３つ目の縦方向切断位置が切断された後、最後の縦方向切断位置がカッター装置の切断実行位置まで搬送された状態を示したものである。
【図１７】本願発明に係るインクジェット式印刷装置の要部平面図であり、最後の縦方向切断位置が切断された状態を示したものである。
【図１８】本願発明に係る印刷用紙切断制御手順の他の実施の形態を示した概略のフローチャートである。
【図１９】本願発明に係るインクジェット式印刷装置の他の実施の形態を示した要部平面図である。
【図２０】本願発明に係るインクジェット式印刷装置の他の実施の形態を示した要部側面図である。
【符号の説明】
１    制御部
５０  インクジェット式印刷装置
５１  キャリッジガイド軸
５２  プラテン
５３  搬送駆動ローラ
５４  搬送従動ローラ
５５  排紙駆動ローラ
５６  排紙従動ローラ
５７  給紙トレイ
５８  カッター装置
５９  ロール紙ホルダ
６１  キャリッジ
６２  印刷ヘッド
６３  紙検出器
６４  センサ
Ｐ  印刷用紙
ＲＰ  ロール紙
Ｘ  主走査方向
Ｙ  副走査方向
【図１】
0003940900.tif 000002
【図２】
0003940900.tif 000003
【図３】
0003940900.tif 000004
【図４】
0003940900.tif 000005
【図５】
0003940900.tif 000006
【図６】
0003940900.tif 000007
【図７】
0003940900.tif 000008
【図８】
0003940900.tif 000009
【図９】
0003940900.tif 000010
【図１０】
0003940900.tif 000011
【図１１】
0003940900.tif 000012
【図１２】
0003940900.tif 000013
【図１３】
0003940900.tif 000014
【図１４】
0003940900.tif 000015
【図１５】
0003940900.tif 000016
【図１６】
0003940900.tif 000017
【図１７】
0003940900.tif 000018
【図１８】
0003940900.tif 000019
【図１９】
0003940900.tif 000020
【図２０】
0003940900.tif 000021